(57)【特許請求の範囲】
【請求項１】
熱接着性合成繊維を含有する不織布片の周縁部及び底部を熱融着させて硬化させると共に、上記底部の中央部分を上方に向って突出させ、上記周縁部が硬く硬化され、上記底部は上記周縁部から中央部分に向かって次第に弱く硬化され、底部の上方に突出する中央部分が更に弱く硬化されており、血管に対する穿刺部に当接する上面を柔らかな球面状に成形したことを特徴とする止血用パッド。
【請求項２】
上記周縁部が隅丸長方形で、底部の中央部分が長方形状に上方に向って突出し、更にその中央部が上方に向かって突出していることを特徴とする請求項１記載の止血用パッド。
【発明の詳細な説明】
【０００１】
【発明の属する技術分野】
本発明は、止血用のパッドに関する。
【０００２】
【従来の技術】
従来から、静脈からの採血、注射、動脈穿刺カテ−テル、動脈血管造影などで、動脈や静脈に穿刺を伴う治療や検査が広く行われている。
従来、こうした治療や検査の後で注射針、カテ−テル、医療用チュ−ブ等を静脈や動脈から抜き取ったときに生ずる穿刺孔は、血液の凝固作用によって閉じられるまで消毒綿を当て、通常１０分間以上に渡って手によって押さえている。更に動脈の場合には、その後に穿刺部にガ−ゼを置き、その上から大きな枕状のパッドを当てて縛りつけ、動脈管を強く圧迫して止血している。
しかし、こうした止血処置は面倒で、効率的でないところから、効率的で確実な止血を行なうことが出来る止血用パッドが望まれている。
【０００３】
【発明が解決しようとする課題】
本発明は、静脈や動脈に穿刺等して治療や検査を行い、注射針等を抜いた後の止血を容易にしてかつ確実にできる止血用パッドを提供するものである。
【０００４】
【課題を解決するための手段】
本発明は、熱接着性合成繊維を含有する不織布片の周縁部及び底部は上記繊維を熱融着させて硬化すると共に、底部の中央部分を上方に向って突出させており、一方その上面は充分に硬化させずに柔らかな球面状に成形し、この止血用パッドの上記球面状の上面を穿刺部に当てて圧迫することにより確実に止血を行うものである。
【０００５】
【発明の実施の形態】
本発明の止血用パッドを作るために用いられる熱接着性合成繊維は、この熱接着性合成繊維を含有する不織布を熱処理して熱融着により形状を安定化させて成形できる能力を有する繊維で、低融点の熱可塑性樹脂から得られる低融点合成繊維である。
この低融点合成繊維としてはポリエチレン、ポリビニルアルコ−ル、ポリプロピレン、ポリエステル、ポリアミド等の単独繊維、又は上記低融点合成繊維より融点の高い高融点合成繊維との並列型あるいは低融点成分を鞘側にし高融点成分を芯側に用いた鞘芯型の複合繊維が用いられる。これらの組合せとしては、例えば、ポリエチレン／ポリプロピレン、エチレン・酢酸ビニル共重合体／ポリプロピレン、低融点ポリエステル／ポリエステル、低融点ポリアミド／ポリアミド等が挙げられる。
【０００６】
本発明に用いられる熱接着性合成繊維を含有する不織布は、上記の熱接着性合成繊維を単独で又は適宜に組み合わせ混繊して製造された不織布で、その混繊割合や目付も適宜のものが使用できる。上記熱接着性合成繊維は、通例、界面活性剤で処理されることが多いが、この止血用パッドは、上記の如く穿刺部に当てて使用するので、衛生の面からこれらの繊維をＦＤＡで承認されている、例えば、ポリオキシエチレンソルビタントリステアレート、ポリオキシエチレンソルビタンモノラウレート、ソルビタンモノラウレート、アルキルスルフォネートナトリウム等の単独で又は混合液で処理すると好ましい。
【０００７】
この不織布は、同じ繊維構成ウエッブを数層積層したものでも、異なった繊維構成ウエッブを積層したものでもよいが、止血用パッドの周縁部と底部及び底部の中央部分の凸部が充分に成形され、球面状をしている上面が適度の柔らかさを保持している状態に成形できるような適宜の組合せを選択することができる。この止血用パッドは、上面を柔らかく保持するために上層部分の積層された不織布はパンチング処理されていない方が好ましい。
【０００８】
本発明の動脈用の止血用パッドの製造法の一例を、図４を参照して説明するが、これに限定されるものではない。
融点が２６５℃のポリエステル５０重量％を芯成分とし、融点が１１０℃のポリエステル５０重量％を鞘成分として溶融紡糸して、４デニ−ルの５１ｍｍ長のポリエステルの鞘芯型熱接着性合成繊維を得る。これとは別に、融点が２６５℃のポリエステル１００重量％の６デニ−ルで６４ｍｍ長の高融点ポリエステル合成繊維を得る。上記鞘芯型熱接着性合成繊維５０重量％と高融点ポリエステル合成繊維５０重量％を混繊し、目付４５０ｇ／  ｍ２  の不織布ウエッブ（Ａ）を製造した。
【０００９】
また、融点が２６５℃のポリエステル１００重量％の３デニ−ルで５１ｍｍ長のポリエステル合成繊維を得、これを８０重量％と上記の鞘芯型熱接着性合成繊維２０重量％を混繊し、目付１８０ｇ／  ｍ２  の不織布ウエッブ（Ｂ）を製造した。
上記不織布ウエッブ（Ａ）の１層を最下層とし、その上に上記不織布ウエッブ（Ｂ）を４層積層し、全体で５層構造の目付１１７０ｇ／  ｍ２  の不織布とした。
この不織布を縦×横を約５０ｍｍ×４０ｍｍの不織布片１１に裁断した。
【００１０】
止血用パッドを製造するための成形装置は、電気加熱可能な下部金属製金型１４の中央部に、縦×横を１６ｍｍ×８ｍｍの矩形状凸状部１２が下部金属製金型１４に対して上下動するように設けられており、矩形状凸状部１２の上部中央部には直径６ｍｍで高さ約１ｍｍの円柱状突起部１３が設けられている。成形時に、上記矩形状凸状部１２は下部金属製金型１４の表面から約８ｍｍ突出しているが、下部金属製金型１４内に埋没できるようになっている。
上記下部金属製金型１４の上方には、電気加熱可能な上部金属製金型１５があって、その底部には縦×横×高さが約３４ｍｍ×２０ｍｍ×１３ｍｍの矩形状の空間１６が設けられている。
【００１１】
上記下部金属製金型１４の上に、上記した不織布片１１を載置し、下部金属製金型１４を２６０℃に加熱し、上部金属製金型１５を２１０℃に加熱して６ｋｇｆ／ｃｍ２  で下部金属製金型１４に向かって押圧する。
約１〜２秒経過したら、上記矩形状凸状部１２を下方に動かし下部金属製金型１４内に埋没させて、不織布片１１から離す。約３０秒経過後に上部金属製金型１５を上昇させて成形品を取り出す。
取り出した成形品の周縁の不成形な部分は打ち抜き除去し、周縁部を隅丸長方形とした止血パッド５を得る。
【００１２】
上記止血パッドは、上記した押圧加熱によって不織布片中の熱接着性合成繊維が熱融着によって接着され、下部金属製金型１４と上部金属製金型１５によって挟まれていた周縁部１は硬く硬化し、その底部２も周縁部１から中央部分に向かって次第に硬さが低くなるように硬化される。
また、上記底部２の中央部分には、上記矩形状凸状部１２と円柱状突起部１３によって上方に向かって突出する突出部３と小突出部３１が形成されるが、上記の如く矩形状凸状部１２と円柱状突起部１３は成形時に早く下部金属製金型１４内に埋没するので、比較的弱く硬化されるようになり、球面状のパッド上面４に底部から適度の硬さを与えるようになる。
【００１３】
こうして止血パッド５の上面４は、上記周縁部１から立ち上がるようにして球面状を描くようになり、上記上面の周縁部１に連続する部分では上部金属製金型１５の温度が下部金属製金型１４に比べて低いことから周縁部程には硬くならないし、パッド５の上面４は上部金属製金型１５に接することなく、矩形状の空間内の温度が加わることによって、不織布片を構成している繊維がばらけた毛羽もなく緩やかに熱接着し、全体として柔らかな感触と適度のクッション性を持った球面状を保持することができる。
また、図示のものでは硬い周縁部も隅丸長方形となっているので、皮膚に当たったときにも安全である。
【００１４】
この止血用パッド５を使用する場合、注射針やカテ−テルなどを血管から外した穿刺部の上に、その球面状をしている上面４を当てて押圧し、その押圧状態を維持するように、包帯を巻いたり、絆創膏を貼り付けることによって止血用パッドを固定する。
こうすると上面４の球面状部分が皮膚の表面に接して当りも柔らかく、一方反対側の底面２及び周縁部１は硬くて容易に変形しないし、底部の中央部分に設けた矩形状の突出部３と小突出部３１がよくその形状を保持するから、押圧作用を穿刺部に集中することができ、血管の穿刺孔は強く圧迫されて閉じられるようになって、確実に止血することができる。動脈管の穿刺孔に対する止血は、この止血用パッドに加える押圧作用を静脈管の場合よりも強く、かつ時間的にも長く加えるようにすると確実に行うことができる。
【００１５】
こうした止血用パッドは、図３に示すように、布、不織布、合成樹脂シ−トなどの基材８の片面に粘着剤層９を設けたテ−プ１０を用意し、その粘着剤層９の上にその底部２を固定しておいて、上記と同様にして止血用パッド５の上面４を穿刺部に当て、テ−プを皮膚に貼付ければ、同様にして確実に止血を行うことができる。
【００１６】
【発明の効果】
本発明の止血用パッドは上記の如く、熱接着性合成繊維を含有する不織布片を用いているので、不織布片を構成する熱接着性合成繊維を熱融着することによって、皮膚表面に当たる柔らかな球面状部分と、硬い周縁部と、周縁部から次第に硬さが柔らかくなる底部を併せ持ち、また底部の中央部分を上方に突出させた一体成形品であるので、皮膚に対して優しいと共に、穿刺部に当接する面の毛羽の発生も無くて、静脈、動脈に対する穿刺孔に対して確実に止血することができるし、その止血処理を容易かつ簡潔に行うことができる。
【図面の簡単な説明】
【図１】本発明の止血用パッドの実施例を示す斜視図である。
【図２】図１の断面図である。
【図３】図１の止血用パッドをテープに固定したものの斜視図である。
【図４】図１の止血用パッドを製造する装置の１実施例の説明図である。
【符号の説明】
１  周縁部                                ２  底部
３  突出部                              ３１  小突出部
４  上面                                  ５  止血用パッド
８  基材                                  ９  粘着剤層
１０  テープ                              １１  不織布片
１２  下部金属製金型内の矩形状凸状部
１３  下部金属製金型内の円柱状突起部
１４  下部金属製金型
１５  上部金属製金型
１６  上部金属製金型の空間
【図１】
0003601019.tif 000002
【図２】
0003601019.tif 000003
【図３】
0003601019.tif 000004
【図４】
0003601019.tif 000005